(57)【要約】【課題】色覚異常者にとって所望の情報の取得がしやすく、色覚異常でない人にとって違和感が少ない映像を表示する。【解決手段】テレビ装置１１は、受信した映像データに基づいて表示データを生成する表示データ生成部２３と、表示データを表示するテレビ表示部２４と、映像データの画面レイアウトの情報をレイアウト情報として抽出するレイアウト情報抽出部２５と、を有し、端末装置１２は、ユーザの領域選択操作を受け付け、前記画面レイアウトのなかの１又は複数の領域を選択した選択領域情報を作成し、テレビ装置１１は、さらに、端末装置１２からの選択領域情報に基づいて、選択された領域内の映像データに対して色覚異常者用の色変換を行った色変換後映像データを生成する映像色変換部２９を有し、表示データ生成部２３は、受信した映像データに加えて、映像色変換部２９で作成された色変換情報と、に基づいて表示データを生成する。【選択図】図１
2014107818.tif 000002
【特許請求の範囲】
【請求項１】
テレビ装置と、端末装置と、を備えるテレビシステムであって、
前記テレビ装置は、
受信した映像データに基づいて表示データを生成する表示データ生成部と、
前記表示データを表示するテレビ表示部と、
前記映像データの画面レイアウトの情報をレイアウト情報として抽出するレイアウト情報抽出部と、を有し、
前記端末装置は、
ユーザの領域選択操作を受け付け、前記画面レイアウトのなかの１又は複数の領域を選択した選択領域情報を作成し、
前記テレビ装置は、さらに、前記端末装置からの前記選択領域情報に基づいて、選択された領域内の映像データに対して色覚異常者用の色変換を行った色変換後映像データを生成する映像色変換部を有し、
前記表示データ生成部は、受信した映像データに加えて、前記映像色変換部で作成された色変換情報と、に基づいて表示データを生成する
ことを特徴とするテレビシステム。
【請求項２】
前記テレビ装置は、
前記レイアウト抽出部で抽出された前記レイアウト情報を用い、色覚異常をもつユーザが前記画面レイアウトを認識できるように、画面レイアウト内の各領域の色変換を行った色変換後レイアウト情報を生成するレイアウト色変換部、をさらに備え、
前記端末装置は、
前記色変換後レイアウト情報に基づいて、色変換された画面レイアウトを表示する端末表示部をさらに備える、
請求項１に記載のテレビシステム。
【請求項３】
前記レイアウト色変換部は、白黒２値化して表示させる色変換後レイアウト情報を生成する、
請求項２に記載のテレビシステム。
【請求項４】
前記端末装置は、
前記端末表示部で表示された色変換後レイアウトの画面を見ながら、ユーザが色変換を所望する範囲を入力可能な入力手段と、
前記入力手段によりユーザが入力した所望の範囲に含まれているブロック要素を検出する検出手段と、をさらに備え、
前記選択領域情報作成部は、前記検出手段により検出されたブロック要素に基づいて選択領域情報を生成する、
請求項２又は請求項３に記載のテレビシステム。
【請求項５】
前記テレビ装置は、
前記レイアウト色変換部により生成された前記色変換後レイアウト情報に基づいてＨＴＭＬドキュメントを生成するデータ生成部、を更に備え、
前記端末表示部は、Ｗｅｂブラウザにより画面表示を行う、
請求項２〜請求項４のいずれか１項に記載のテレビシステム。
【請求項６】
前記テレビ装置は、
前記選択された領域に色覚異常者用に色変換を行う色変換ルールを記憶する色変換テーブルを更に備え、
前記映像色変換部は、前記色変換テーブルの色変換ルールに基づいて色変換情報を生成する、
請求項１〜５のいずれか１項に記載のテレビシステム。
【請求項７】
前記端末装置は、
端末装置ごとに変更可能な色変換ルールを記憶した端末側色変換テーブル、を更に備え、
前記映像色変換部は、前記端末側色変換テーブルから入力した色変換ルールに基づいて色変換情報を生成する、
請求項１〜６のいずれか１項に記載のテレビシステム。
【発明の詳細な説明】
【技術分野】
【０００１】
本発明は、テレビシステムに関する。
【背景技術】
【０００２】
近年、デジタル信号圧縮技術を用いて映像・音声信号やコンテンツ情報信号を圧縮し、放送するデジタル放送が行われている。ここでコンテンツ情報とは、例えば、番組名、番組内容、番組開始時刻、番組継続時間、番組ジャンル情報等である。
【０００３】
ここでテレビを一人で見るのではなく、複数の人間が視聴することがある。このとき、１つのテレビ画面を、色覚異常者と色覚異常でない人とが同時に視るという場合がある。
【０００４】
特許文献１では、表示文字などを見やすくして色覚異常の人でもデータ放送等を快適に視ることを可能にするデジタル放送受信装置の発明が開示されている。
【先行技術文献】
【特許文献】
【０００５】
【特許文献１】特開２００３−７８８３５号公報
【発明の概要】
【発明が解決しようとする課題】
【０００６】
しかしながら、特許文献１に記載されたデジタル放送受信装置による方法は、デジタル放送受信機単体での動作であって、画面全体の色変換を行うことで、色覚異常者にとって見やすい映像を生成するものである。そのため、色覚異常者と色覚異常でない人が同時に視聴している場合、色覚異常でない人は色変換された映像を見続ける必要がある。ここで、色覚異常者に色変換された映像は、色覚異常でない人にとっては不自然に感じる場合がある。したがって、テレビ装置に表示される映像は、色覚異常者にとって所望の情報の取得がしやすく、かつ、色覚異常でない人にとっても違和感が少ないものが表示されることが望まれていた。
【課題を解決するための手段】
【０００７】
本発明に係るテレビシステムは、テレビ装置と、端末装置と、を備えるテレビシステムであって、前記テレビ装置は、受信した映像データに基づいて表示データを生成する表示データ生成部と、前記表示データを表示するテレビ表示部と、前記映像データの画面レイアウトの情報をレイアウト情報として抽出するレイアウト情報抽出部と、を有し、前記端末装置は、ユーザの領域選択操作を受け付け、前記画面レイアウトのなかの１又は複数の領域を選択した選択領域情報を作成し、前記テレビ装置は、さらに、前記端末装置からの前記選択領域情報に基づいて、選択された領域内の映像データに対して色覚異常者用の色変換を行った色変換後映像データを生成する映像色変換部を有し、前記表示データ生成部は、受信した映像データに加えて、前記映像色変換部で作成された色変換情報と、に基づいて表示データを生成することを特徴とする。
これにより、ユーザが色変換を行いたい箇所を指定し、指定箇所のみ色変換を行うことができる。
【発明の効果】
【０００８】
色覚異常者にとって所望の情報の取得がしやすく、色覚異常でない人にとっても違和感が少ない映像を表示できる。
【図面の簡単な説明】
【０００９】
【図１】実施の形態１にかかるテレビシステムの構成を示すブロック図である。
【図２】実施の形態１にかかる２色に変換した色変換後レイアウト情報の一例の図である。
【図３】実施の形態１にかかる２色に変換した色変換後レイアウト情報の別の例の図である。
【図４】実施の形態１にかかる端末装置の表示部において画面左上の領域を選択した場合の図である。
【図５】実施の形態１にかかるテレビシステムにかかるフローチャートである。
【図６】実施の形態１にかかるテレビシステムにかかるフローチャートである。
【図７】実施の形態１にかかる色変換がなされた後のテレビ装置の表示部の一例の図である。
【図８】実施の形態２にかかるテレビシステムの構成を示すブロック図である。
【図９】実施の形態２にかかるテレビシステムにかかるフローチャートである。
【図１０】実施の形態２にかかるテレビシステムにかかるフローチャートである。
【発明を実施するための形態】
【００１０】
実施の形態１
以下、図面を参照して本発明の実施の形態について説明する。図１は、テレビシステム１の構成を示すブロック図である。
【００１１】
テレビシステム１は、テレビ装置１１と、端末装置１２を備える。テレビ装置１１は、受信機２１と、デコーダ２２と、表示データ生成部２３と、テレビ表示部２４と、レイアウト情報抽出部２５と、レイアウト色変換部２６と、データ生成部２７と、送信部２８と、映像色変換部２９と、色変換テーブル３０を備える。
【００１２】
受信機２１は、外部の送信局から送信された映像データを受信する。ここで、受信機２１が受信する映像データは、映像情報、放送コンテンツ情報などを含むものであり、無線送信を効率的に行うために符号化されている。なおデジタル放送信号には、もちろん音声データも含まれるが、音声信号の処理については本実施の形態の主要部ではなく、音声信号処理は既存の技術を利用すればよいので、説明を省略する。受信機２１は、受信した映像データをデコーダ２２に出力する。
【００１３】
デコーダ２２は、受信機２１から入力した映像データを復号し、デコード情報を生成する。デコーダ２２は、復号により生成された映像データと、ＢＭＬ(Broadcast Markup Language)により記載されたコンテンツ情報を、表示データ生成部２３に出力する。また、デコーダ２２は、コンテンツ情報を、レイアウト情報抽出部２５に出力する。
【００１４】
表示データ生成部２３は、デコーダ２２と、レイアウト情報抽出部２５と、後述する選択領域情報作成部３４からデータを受け取る。より具体的には、表示データ生成部２３は、デコーダ２２から復号された映像データ、およびコンテンツ情報のデータを受け取る。また表示データ生成部２３は、レイアウト情報抽出部２５から、レイアウト情報を受け取る。また表示データ生成部２３は、選択領域情報作成部３４から、ユーザにより選択された領域の情報を受け取る。レイアウト情報、選択領域情報については後述する。
表示データ生成部２３は、デコーダ２２と、レイアウト情報抽出部２５と、選択領域情報作成部３４から入力されたデータに基づいて表示データを生成し、映像色変換部２９に出力する。また、表示データ生成部２３は、色変換データを映像色変換部２９から色変換後情報を受け取る。表示データ生成部２３は、生成した表示データと、映像色変換部２９による色変換後情報に基づいて駆動信号を生成し、テレビ表示部２４に出力する。
なお表示データ生成部２３は、選択領域情報作成部３４からの領域選択情報の入力が無い場合には、デコーダ２２から入力されたデコード情報に基づいて表示するよう駆動信号を生成し、テレビ表示部２４に出力する。言い換えると、表示データ生成部２３は、ＢＭＬ文書にて指定されている本来の色で提示するよう、駆動信号を生成してテレビ表示部２４に出力する。
【００１５】
テレビ表示部２４は、表示データ生成部２３から入力された駆動信号に基づいて動作する、ディスプレイである。
【００１６】
レイアウト情報抽出部２５は、デコーダ２２から放送コンテンツ情報を受け取る。レイアウト情報抽出部２５は、ＢＭＬ文章で記載されたコンテンツ情報から、レイアウト情報を抽出する。レイアウト情報抽出部２５は、抽出したレイアウト情報を、表示データ生成部２３に出力する。また、レイアウト情報抽出部２５は、レイアウト情報を、レイアウト色変換部２６に出力する。
【００１７】
レイアウト色変換部２６は、レイアウト情報抽出部２５からレイアウト情報を受け取る。レイアウト色変換部２６は、レイアウト情報に含まれるコンテンツの色情報を変換する。ここでレイアウト色変換部２６は、レイアウトを色覚異常者用に見せるために色を変換した、色変換後レイアウト情報を生成する。より具体的には、レイアウト色変換部２６は、白黒の２色に変換した色変換後レイアウト情報を生成する。図２は、白黒の２色に変換した色変換後レイアウト情報の一例である。また図３は、色変換後レイアウト情報の別の例である。レイアウト色変換部２６は、色変換後レイアウト情報をデータ生成部２７に出力する。より詳しくは、フローチャートとともに後述する。
【００１８】
データ生成部２７は、レイアウト色変換部２６から入力された色変換後レイアウト情報に基づいて、端末装置１２で表示可能な表示データを生成する。典型的にはデータ生成部２７は、ＨＴＭＬデータ生成部であり、ＨＴＭＬドキュメントを生成する。データ生成部２７は、生成した表示データを、送信部２８に出力する。
【００１９】
送信部２８は、データ生成部２７から入力された表示データを、端末装置１２に出力する。典型的には送信部２８は、ＨＴＴＰ(HyperText Transfer Protocol)に則り、ＨＴＭＬドキュメントを、端末装置１２に出力する。これにより、テレビ装置１１はＷｅｂサーバとして機能する。
【００２０】
映像色変換部２９は、表示データ生成部２３で生成された表示データに対し、色変換を行う。より具体的には、映像色変換部２９は、表示データ生成部２３から表示データを受け、後述する選択領域情報作成部３４から入力された選択領域情報に基づき、色変換テーブル３０を利用して選択領域の色変換を行い、色変換後情報を生成する。映像色変換部２９は、色変換後情報を、表示データ生成部２３に出力する。
【００２１】
色変換テーブル３０は、映像色変換部２９に色変換ルールを提供する。典型的には、色変換テーブル３０が提供する色変換ルールは、色覚異常者が視認しにくい色を、視認しやすい色に変換するルールが記憶されている。
【００２２】
端末装置１２は、ユーザが携帯できるような小型軽量の端末であり、典型的にはスマートフォンやタブレットなどである。端末装置１２は、受信部３１と、端末表示部３２と、入力検出部３３と、選択領域情報作成部３４を備える。
【００２３】
受信部３１は、送信部２８から表示データを受信する。受信部３１は、表示データを端末表示部３２に出力する。
【００２４】
端末表示部３２は、受信部３１から入力した表示データに基づいて、画面表示を行うディスプレイである。ここで典型的には、端末表示部３２に入力される表示データは、レイアウトを白黒の２色で表示するよう記載されたＨＴＭＬドキュメントである。端末表示部３２は、Ｗｅｂブラウザにより、白黒の２色で表現されたレイアウトを表示する。
【００２５】
入力検出部３３は、入力手段３３１と、検出手段３３２を備える。
【００２６】
入力手段３３１は、ユーザによる入力手段である。典型的には入力手段３３１は、表示画面上に設けられたタッチパネルである。ユーザは、テレビ表示部２４に表示された映像と端末表示部３２に表示されたレイアウト画面を見比べ、入力手段３３１を用いて色変換を所望する範囲を入力する。例えば入力手段３３１は、ユーザ操作による操作の軌跡を取得する。図４は、端末表示部３２に表示されたレイアウト画面から、ユーザが画面左上の領域を選択する場合の例であり、点線の円形はユーザによる操作の軌跡を示している。
【００２７】
検出手段３３２は、入力手段３３１により入力された軌跡に基づいて、軌跡内に含まれているブロック要素を検出する。検出手段３３２は、検出したブロック要素の情報を、選択領域情報作成部３４に出力する。なお典型的には、ブロック要素は、要素ごとに矩形領域となっている。言い換えると、検出手段３３２は１又は複数の矩形領域の情報を、選択領域情報作成部３４に出力する。
【００２８】
選択領域情報作成部３４は、検出手段３３２から入力された矩形領域の情報に基づいて、選択領域情報を生成する。選択領域情報作成部３４は、選択領域情報を、表示データ生成部２３に出力する。例えば選択領域情報作成部３４は、選択領域に該当するレイアウト情報を、表示データ生成部２３に出力する。
【００２９】
次に、テレビシステム１の動作を説明する。図５および図６は、テレビシステム１の動作フローチャートである。
【００３０】
受信機２１は、外部の送信局から送信された映像データを受信する（ステップＳ１１）。
【００３１】
デコーダ２２は、受信機２１から入力した映像データを復号し、デコード情報を生成する（ステップＳ１２）。次にステップＳ１３及びステップＳ１６に進む。典型的には、ステップＳ１３からの処理と、ステップＳ１６からの処理は同時並行で行う。
【００３２】
テレビ装置１１は、選択領域情報作成部３４から表示データ生成部２３への、選択領域情報の入力状態を判定する（ステップＳ１３）。典型的には、ステップＳ１３は、選択領域情報作成部３４に入力されるデータが変更された場合に実行する。選択領域情報作成部３４から表示データ生成部２３に入力が無い場合には（ステップＳ１３でＮｏ）、ステップＳ１４に進む。選択領域情報作成部３４から表示データ生成部２３に入力がある場合（ステップＳ１３でＹｅｓ）には、ステップＳ３１に進む。
【００３３】
表示データ生成部２３は、デコーダ２２から入力されたデコード情報に基づいて駆動信号を生成する（ステップＳ１４）。
【００３４】
テレビ表示部２４は、駆動信号に基づいて表示を行う（ステップＳ１５）。
【００３５】
レイアウト情報抽出部２５は、デコーダ２２から入力されたＢＭＬ文章を解析する（ステップＳ１６）。より具体的には、レイアウト情報抽出部２５は、ＢＭＬ文章を解析し、ブロック要素であるbody要素、div要素、p要素、object要素、input要素が示す矩形領域によるレイアウト情報を抽出する。また、レイアウト情報抽出部２５は、矩形の位置について、ＢＭＬ文章で指定されているposition特性、left、top、right、bottom特性から算出する。ここで、レイアウト情報抽出部２５は、抽出したレイアウト情報を表示データ生成部２３と、レイアウト色変換部２６に出力する。
【００３６】
レイアウト色変換部２６は、コンテンツの色情報を変換する（ステップＳ１７）。より具体的には、レイアウト色変換部２６は、ＢＭＬ文章においてcolor-index、background-color-indexに記載されている値に関わらず、レイアウトにおける親要素から順に、黒、白、黒、・・・、の順に色を付けて表示するよう、色変換後レイアウト情報を生成する。図２は、親要素から順に、２色に変換した色変換後レイアウト情報である。図２において、黒色に色変換された部分を斜線のハッチングで示す。
ここでレイアウト色変換部２６は、ＢＭＬ文章においてborder-widthの指定がある場合には、border-top-color-index、border-right-color-index、border-left-color-index、border-bottom-color-indexの値を無視して、色変換後レイアウト情報を生成する。例えばレイアウト色変換部２６は、border-widthの指定がある矩形領域の親要素が黒で塗られている場合には、自身のborderは白で塗り、borderより内側は黒で塗る。図３は、borderを白で塗り、borderより内側は黒で塗った色変換後レイアウト情報である。図３において、白色に色変換された部分を斜線のハッチングで示す。また逆に、レイアウト色変換部２６は、親要素が白の場合には、自身のborderは黒で塗り、borderより内側は白で塗ってもよい。
【００３７】
データ生成部２７は、レイアウト色変換部２６から入力された色変換後レイアウト情報に基づいて、ＨＴＭＬドキュメントを生成し、端末装置１２に送信する（ステップＳ１８）。言い換えると、テレビ装置１１は、図２又は図３で示した色変換後レイアウト情報を、Ｗｅｂページとして公開する。
【００３８】
端末装置１２の受信部３１は、ＨＴＭＬドキュメントを受信する（ステップＳ１９）。言い換えると、端末装置１２は、テレビ装置１１により公開されたＷｅｂページを取得する。
【００３９】
端末表示部３２は、ＨＴＭＬドキュメントの記載に基づいて、表示を行う（ステップＳ２０）。
【００４０】
端末装置１２は、入力手段３３１を用いて、ユーザが色変換を所望する範囲が入力したか否かを判定する（ステップＳ２１）。入力された場合（ステップＳ２１でＹｅｓ）は、ステップＳ２２に進む。入力されない場合（ステップＳ２１でＮｏ）は、ステップＳ１３に戻る。
【００４１】
検出手段３３２は、入力手段３３１による入力に基づいて、色変換を行うブロック要素の検出を行う（ステップＳ２２）。例えば、ユーザにより入力された軌跡が図４の点線の円形である場合、４つの矩形領域（Ｂ、Ｃ、Ｄ、Ｅ）は、５０％以上が含まれている。したがって検出手段３３２は、ユーザが矩形領域（Ｂ、Ｃ、Ｄ、Ｅ）を選択したものとして検出する。ここで検出された矩形領域には、ユーザが見づらい部分を含んでいるものとして扱われる。なお、それ以外の矩形領域（Ａ、Ｆ、Ｇ、Ｈ、Ｉ、Ｊ、Ｋ）は、選択範囲が５０％未満と判定されるため、検出手段３３２では検出を行わない。
【００４２】
選択領域情報作成部３４は、検出手段３３２により検出された矩形領域から選択領域情報を作成し、ユーザイベントとして表示データ生成部２３に出力する（ステップＳ２３）。その後、ステップＳ１３に戻る。
【００４３】
選択領域情報作成部３４から表示データ生成部２３に入力がある場合（ステップＳ１３でＹｅｓ）には、映像色変換部２９は、表示データ生成部２３から表示データを入力し、選択領域情報作成部３４により選択された領域について、色変換テーブル３０に基づいて色変換を行う（ステップＳ３１）。映像色変換部２９は、ＣＳＳ、ＰＮＧ、ＭＮＧ、文字については色覚異常者向けのＣＬＵＴ(color lookup table)を用意して、本来の指定職とは異なる色を使用して変換する。また映像色変換部２９は、ＪＰＥＧに関してもデコードされたＲＧＢの値を、あらかじめ用意されている色変換テーブル３０に基づいて、色覚異常者向けの色に変換する。なお、映像色変換部２９は、現在選択されている選択領域と、前回の色変換を実行した際の選択領域が異なる場合には、前回の色変換を実行した領域の色を本来の色に戻し、現在選択されている選択領域にのみ色変換を実施する。映像色変換部２９は、色変換情報を、表示データ生成部２３に出力する。
【００４４】
表示データ生成部２３は、映像色変換部２９から入力された色変換情報と、表示データに基づいて、駆動信号を生成する（ステップＳ３２）。その後、ステップＳ１５に進む。図７は、選択された領域の色変換がなされた後の、テレビ表示部２４の画面の１例である。より具体的には、図７は、左上の点線部分の矩形領域（Ｂ、Ｃ、Ｄ、Ｅ）の色変更がなされた状態を示している。
【００４５】
これによりテレビ装置１１上では、端末装置１２で指定された選択領域のデータ放送の色が変換された状態で表示される。このときテレビ装置１１では、端末装置１２で指定されていない領域は、元の色のまま表示される。言い換えると、テレビ装置１１では、ユーザが指定した必要最低限の領域の色を変換した映像を、表示することができる。したがって、色覚異常者と色覚異常でない人が同時にテレビ装置１１を視聴している場合に、色覚異常者が所望の情報を得やすくなるとともに、色覚異常でない人は、色変更の箇所が少ない映像を視聴することができる。
【００４６】
実施の形態２
図８は、実施の形態２にかかるテレビシステム２の構成図である。テレビシステム２は、テレビ装置１１と、端末装置１３を備える。なお、実施の形態１で示したテレビシステム１と同一の機能を奏する構成物品については、同一の符号を付し説明を省略する。
【００４７】
端末装置１３は、受信部３１と、端末表示部３２と、入力検出部３３と、選択領域情報作成部３４と、端末側色変換テーブル３５を備える。
【００４８】
端末側色変換テーブル３５は、端末装置１３が個別に有する色変換テーブルである。例えば複数のユーザがそれぞれ端末装置１３を持っている場合において、端末側色変換テーブル３５は、ユーザが所有する端末装置１３ごとに、ユーザの色覚異常の特徴に合わせた色変換ルールを記憶している。端末側色変換テーブル３５は、記憶しているテーブルの内容を、色変換テーブル３０に出力する。
【００４９】
次に、テレビシステム２の動作について説明する。図９および図１０は、テレビシステム２の動作フローチャートである。
【００５０】
受信機２１は、外部の送信局から送信された映像データを受信する（ステップＳ１１）。
【００５１】
デコーダ２２は、受信機２１から入力した映像データを復号し、デコード情報を生成する（ステップＳ１２）。次にステップＳ１３及びステップＳ１６に進む。典型的には、ステップＳ１３からの処理と、ステップＳ１６からの処理は同時並行で行う。
【００５２】
テレビ装置１１は、選択領域情報作成部３４から表示データ生成部２３への、選択領域に関する情報の入力状態を判定する（ステップＳ１３）。選択領域情報作成部３４から表示データ生成部２３に入力が無い場合には（ステップＳ１３でＮｏ）、ステップＳ１４に進む。選択領域情報作成部３４から表示データ生成部２３に入力がある場合（ステップＳ１３でＹｅｓ）には、ステップＳ３１に進む。
【００５３】
表示データ生成部２３は、デコーダ２２から入力された情報に基づいて駆動信号を生成する（ステップＳ１４）。
【００５４】
テレビ表示部２４は、駆動信号に基づいて表示を行う（ステップＳ１５）。
【００５５】
レイアウト情報抽出部２５は、デコーダ２２から入力されたＢＭＬ文章を解析する（ステップＳ１６）。
【００５６】
レイアウト色変換部２６は、コンテンツの色情報を変換する（ステップＳ１７）。
【００５７】
データ生成部２７は、レイアウト色変換部２６から入力された色変換後レイアウト情報に基づいて、ＨＴＭＬドキュメントを生成し、端末装置１３に送信する（ステップＳ１８）。
【００５８】
端末装置１３の受信部３１は、ＨＴＭＬドキュメントを受信する（ステップＳ１９）。
【００５９】
端末表示部３２は、ＨＴＭＬドキュメントの記載に基づいて、表示を行う（ステップＳ２０）。
【００６０】
端末装置１３は、入力手段３３１を用いて、ユーザが色変換を所望する範囲を入力したか否かを判定する（ステップＳ２１）。入力された場合（ステップＳ２１でＹｅｓ）は、ステップＳ２２に進む。入力されない場合（ステップＳ２１でＮｏ）は、ステップＳ１３に戻る。
【００６１】
検出手段３３２は、入力手段３３１による入力に基づいて、色変換を行うブロック要素の検出を行う（ステップＳ２２）。
【００６２】
選択領域情報作成部３４は、検出手段３３２により検出された矩形領域から選択領域情報を作成し、ユーザイベントとして表示データ生成部２３に出力する（ステップＳ２３）。
【００６３】
端末側色変換テーブル３５は、記憶しているテーブルの内容を、色変換テーブル３０に出力する（ステップＳ４１）。その後、ステップＳ１３に戻る。
【００６４】
映像色変換部２９は、表示データ生成部２３から表示データを入力し、選択領域情報作成部３４により選択された領域について、色変換テーブル３０に基づいて色変換情報を生成する（ステップＳ３１）。すなわち、映像色変換部２９は、端末側色変換テーブル３５に記憶された色変換ルールに基づいて、色変換情報を生成する。
【００６５】
表示データ生成部２３は、映像色変換部２９から入力された色変換情報に応じて、デコーダ２２から入力された表示データについて、選択領域の色変換を行い生成した新たな表示データに基づいて、駆動信号を生成する（ステップＳ３２）。その後、ステップＳ１５に進む。
【００６６】
これによりテレビ装置１１上では、端末装置１２で指定された選択領域のデータ放送の色が変換されて表示される。このときテレビ装置１１上では、あらかじめ端末装置１３に記憶された、色覚異常者の特徴に合わせた変換ルールに基づいて色変換がなされるため、より色覚異常者にとって視認しやすい映像が表示される。
【００６７】
なお、本発明は上記実施の形態に限られたものではなく、趣旨を逸脱しない範囲で適宜変更することが可能である。例えば、上述の動作では、常にテレビ装置はＷｅｂサーバとして動作する状態となるが、Ｗｅｂサーバとしての機能のＯＮ、ＯＦＦを切り替え可能にし、色変換の設定変更を行うときにのみＯＮにして、ステップＳ１６以降の動作を行うこととしても良い。また、テレビ装置１１にレイアウト色変換部２６が設けられ、白黒の２色に変換して端末装置１２に出力するものとして説明したが、レイアウト色変換部２６を端末装置１２内に設けておき、端末装置１２側で色変換を行って端末表示部３２に表示させることとしてもよい。また、実施の形態２において、端末側色変換テーブル３５で記憶している色変換ルールを色変換テーブル３０に出力した後に、映像色変換部２９は色変換テーブル３０を参照しているが、端末側色変換テーブル３５から映像色変換部２９に色変換ルールを直接出力してもよい。検出手段３３２は、矩形領域の５０％以上を含んでいるものを選択領域として検出したが、閾値は５０％以外の値であってもよく、ユーザが任意に設定できることが望ましい。
【符号の説明】
【００６８】
１    テレビシステム
２    テレビシステム
１１    テレビ装置
１２    端末装置
１３    端末装置
２１    受信機
２２    デコーダ
２３    表示データ生成部
２４    テレビ表示部
２５    レイアウト情報抽出部
２６    レイアウト色変換部
２７    データ生成部
２８    送信部
２９    映像色変換部
３０    色変換テーブル
３１    受信部
３２    端末表示部
３３    入力検出部
３３１    入力手段
３３２    検出手段
３４    選択領域情報作成部
３５    端末側色変換テーブル
【図１】
2014107818.tif 000003
【図２】
2014107818.tif 000004
【図３】
2014107818.tif 000005
【図４】
2014107818.tif 000006
【図５】
2014107818.tif 000007
【図６】
2014107818.tif 000008
【図７】
2014107818.tif 000009
【図８】
2014107818.tif 000010
【図９】
2014107818.tif 000011
【図１０】
2014107818.tif 000012